(57)【特許請求の範囲】
【請求項１】
発光部と、長手方向の一端部が該発光部に対向する棒状をなし、周面には該長手方向に延びる光出射部が形成された導光部材と、該導光部材の光出射部側とは反対側を覆うとともに該導光部材の長手方向の両端部を支持する支持部材とを備えた照明装置であって、
上記導光部材は、上記長手方向に延びる平板部と、該平板部の厚さ方向の一側面に突設されて該長手方向の全体に亘って形成され、周面に上記光出射部が形成された導光本体部とを有していて、上記長手方向に垂直な断面形状がハット状をなすように成形されており、
上記支持部材は、上記導光部材の長手方向の両端部をそれぞれ支持する一対の端部支持部と、上記導光部材の平板部における上記導光本体部側とは反対側面を支持する平板部支持部とを有し、
上記平板部支持部の支持面は、上記導光部材の上記反対側面の長手方向の全域で当該反対側面に当接し、
上記導光部材を上記平板部支持部の支持面に押し付ける押圧部材をさらに備えている、照明装置。
【請求項２】
請求項１記載の照明装置において、
上記支持部材は、固定された板金部材の上面に当接して載置されている、照明装置。
【請求項３】
請求項１記載の照明装置において、
上記支持部材は、上記平板部支持部が上記導光部材の長手方向における一方の端部寄りの位置で分断されることにより一側分割部と他側分割部とに分割されており、
上記一側分割部と上記他側分割部との間には、上記導光部材の長手方向に交差する方向に延び、該導光部材の長手方向の熱膨脹変形を吸収する隙間が設けられている、照明装置。
【請求項４】
請求項３記載の照明装置において、
上記平板部支持部の支持面は、光を導光部材内に向けて反射可能な反射面とされ、
上記一側分割部及び上記他側分割部の一方には、他方の分割部の平板部支持部の反支持面側に潜り込むオーバーラップ部が設けられ、
上記オーバーラップ部の表面のうち上記隙間を通じて上記導光部材側に露出する面は、上記導光部材内に向けて光を反射可能な反射面とされている、照明装置。
【請求項５】
請求項３又は４記載の照明装置において、
上記一側分割部及び他側分割部のうちの一方には、上記長手方向に延びるピン部が形成され、他方の分割部には、当該ピン部に係合する係合孔が形成され、
上記ピン部は、上記係合孔に対して上記長手方向にのみ移動可能に拘束されている、照明装置。
【請求項６】
請求項３から５のいずれか一項に記載の照明装置において、
上記支持部材は、固定された板金部材に取付け固定されている、照明装置。
【請求項７】
請求項１乃至６のいずれか一項に記載の照明装置を備えた画像読取装置。
【発明の詳細な説明】
【技術分野】
【０００１】
本発明は、照明装置及び該照明装置を備えた画像読取装置に関する。
【背景技術】
【０００２】
従来より、原稿台に載置された原稿に向けてライン状の光を照射し、その反射光をミラー等を介して光電変換部（例えばＣＣＤセンサー）に導くことで原稿画像を読取る画像読取装置は知られている。
【０００３】
この種の画像読装置では、ライン状の光を生成するために、発光ダイオードと棒状の導光部材とを使用した照明装置が提案されている（例えば、特許文献１参照）。導光部材は、一端部が発光ダイオードに対向するように配置されている。導光部材の外周面にはその長手方向に延びる光出射部が形成されている。発光ダイオードより出射された光は、導光部材によって長手方向に全域に拡散されてライン状の光として光出射部から出射される。
【０００４】
上記導光部材の成形方法として、導光部材の長手方向から見て金型を周方向に複数個（例えば四個）に分割して、各分割金型を径方向に放射状に開閉する方法が知られている。
【先行技術文献】
【特許文献】
【０００５】
【特許文献１】特開２０１２−２１２０６９号公報
【発明の概要】
【発明が解決しようとする課題】
【０００６】
しかし、上記従来の成形方法では、隣接する分割金型の当接面同士が開閉時に擦れて摩耗してしまう。このため、各分割金型の境界位置において成形品にバリが生じ易いという問題がある。
【０００７】
この問題を解決するべく、図１８に示すように、導光部材１００を導光本体部１００ａと平板部１００ｂとからなる断面帽子型状に形成することが考えられる。これによれば、導光部材１００を成形するための金型２００を、互いに対向して離接する第一金型２０１と第二金型２０２とで構成することができる。したがって、上述の如く金型２００が開閉時に摺接することがないので上述のバリの発生を抑制することができる。
【０００８】
しかし、発明者らは、導光部材１００の長手方向に垂直な断面形状を帽子型にした場合、図１９の下段に示すように、導光部材１００の平板部１００ｂの長手方向の両端部が導光本体部１００ａ側に反り上がり易くなるという問題を見出した。すなわち、一般的に金型を用いた成形品では、肉厚が薄い部分の冷却速度が速く、肉厚が厚い部分の冷却速度が遅い。このため、断面形状が帽子型をした導光部材１００では、平板部１００ｂの冷却が進んだ後に、導光本体部１００ａの冷却が遅れて進行する。冷却が遅れる部分の材料は表面と中心部との温度差の影響で収縮量が大きい。したがって、この例では、導光本体部１００ａが冷却される際に軸方向に収縮しようとする力によって平板部１００ｂの長手方向の両端部が反り上がる。
【０００９】
導光部材の両端部が反り上がると、導光部材の光出射部が原稿面に対して平行でなくなる。この結果、原稿面に対する光の照射量が導光部材の長手方向の位置によってばらついたり、導光部材による光透過性が悪化したりするという問題がある。
【００１０】
本発明は、かかる点に鑑みてなされたものであり、その目的とするところは、導光部材の表面にバリが生じるのを回避しつつ、導光部材の長手方向の両端部が中間部に対して反り上がるのを防止することにある。
【課題を解決するための手段】
【００１１】
本発明に係る照明装置は、発光部と、長手方向の一端部が該発光部に対向する棒状をなし、周面には該長手方向に延びる光出射部が形成された導光部材と、該導光部材の光出射部側とは反対側を覆うとともに該導光部材の長手方向の両端部を支持する支持部材とを備えている。
【００１２】
そして、上記導光部材は、上記長手方向に延びる平板部と、該平板部の厚さ方向の一側面に突設されて該長手方向の全体に亘って形成され、周面に上記光出射部が形成された導光本体部とを有していて、上記長手方向に垂直な断面形状が帽子型状をなすように成形されており、上記支持部材は、上記導光部材の長手方向の両端部をそれぞれ支持する一対の端部支持部と、上記導光部材の平板部における上記導光本体部側とは反対側面を支持する平板部支持部とを有し、上記平板部支持部の支持面は、上記導光部材の上記反対側面の長手方向の全域で当該反対側面に当接している。
【発明の効果】
【００１３】
本発明によれば、導光部材の表面にバリが生じるのを回避しつつ、導光部材の長手方向の両端部が中間部に対して反り上がるのを防止することができる。延いては、導光部材と原稿との距離を均一化して原稿に照射される光の光量むらを低減することができる。
【図面の簡単な説明】
【００１４】
【図１】図１は、実施形態における照明装置を有する画像読取装置が搭載された画像形成装置の外観斜視図である。
【図２】図２は、実施形態における画像読取装置を示す概略構成図である。
【図３】図３は、実施形態における画像読取装置を示す外観斜視図である。
【図４】図４は、画像読取装置のキャリッジに搭載される本実施形態の照明装置の外観斜視図である。
【図５】図５は、照明装置を構成する照明部の斜視図である。
【図６】図６は、導光部材を長手方向に垂直な断面で切断した断面図である。
【図７】図７は、導光部材を支持する支持部材を示す外観斜視図である。
【図８】図８は、照明装置を左右方向に沿った鉛直面で切断した断面図である。
【図９】図９は、照明装置の前端部の拡大平面図である。
【図１０】図１０は、照明装置の前端部を後側寄りから見た斜視図であって、第１導光部材を取り外した状態を示す図である。
【図１１】図１１は、照明装置の前端部を前側寄りから板斜視図である。
【図１２】図１２は、図１１において照明装置をボス部の軸線に沿った鉛直面で切断した断面図である。
【図１３】図１３は、板金部材に対する外側押圧部材の取付け構造を示す断面図である。
【図１４】図１４は、導光部材を支持する支持部材の分割構造を説明するための斜視図である。
【図１５】図１５は、導光部材を支持する支持部材の分割構造を説明するための分解斜視図である。
【図１６】図１６は、一側分割部を示す斜視図である。
【図１７】図１７は、図９のXVII−XVII線断面図である。
【図１８】図１８は、断面が帽子型状の導光部材を成形する際に使用する成型用金型を示す概略図である。
【図１９】図１９は、帽子型状の導光部材の成形時に反りが発生する要因を分析した図である。
【発明を実施するための形態】
【００１５】
以下、本発明の実施形態を図面に基づいて詳細に説明する。尚、本発明は、以下の実施形態に限定されるものではない。
【００１６】
図１は、実施形態における照明装置４０を備えた画像形成装置１の概略構成図を示す。画像形成装置１は、印刷機能の他にスキャナ機能とファックス機能とコピー機能とを有する複合型の画像形成装置（複合機）である。尚、以下の説明において、前側、後側は、画像形成装置１の前側、後側を意味し、左側、右側は、画像形成装置１を前側（後述する操作パネル８側）から見たときの左側、右側を意味し、上側、下側は、画像形成装置１の上側、下側を意味するものとする。
【００１７】
画像形成装置１は、図１に示すように、画像形成装置本体２と、その上側に配置された画像読取装置３とを備えている。画像形成装置本体２は、その上下方向の中間部に配置された印刷部４と、印刷部４の下側に配置された複数の給紙カセット５とを有している。各給紙カセット５内にはそれぞれサイズが異なる用紙が収容されている。印刷部４は、給紙カセット５より供給される用紙に対して所定の画像データに基づいて印刷を行う。印刷部４における印刷方式には電子写真方式が採用されている。すなわち、印刷部４は、感光体ドラムの表面に画像データに対応するレーザー光を照射して静電潜像を形成し、この静電潜像をトナーで現像して用紙に転写する。
【００１８】
−画像読取装置について−
図２は、実施形態における画像読取装置３の概略構成図を示す。図３は、実施形態における画像読取装置３の筐体２０部分の斜視図を示す。画像読取装置３は、コンタクトガラス１１上で原稿（原稿シート）の画像を光学的に読み取り、原稿の画像に応じた画像データを生成する装置である。尚、本実施形態では、画像読取装置３について前後方向は「主走査方向」に相当し、左右方向は「副走査方向」に相当する。
【００１９】
画像読取装置３は、図２に示すように、コンタクトガラス１１が上面に設けられた筐体２０と、筐体２０に開閉自在に取り付けられて閉状態でコンタクトガラス１１の上面を被覆する原稿カバー６と、筐体２０に収容された読取ユニット３０とを備えている。原稿カバー６は、自動原稿送り装置（ＡＤＦ）７と一体化されている。なお、図１に示すように、画像読取装置３の前面部には操作パネル８が突出形成されている。操作パネル８には、テンキーやスタートキーを含む操作部９と、液晶ディスプレイからなる表示部１０とが設けられている。
【００２０】
画像読取装置３は、原稿の画像を読み取る原稿読取動作を行う。原稿読取動作には、使用者によってコンタクトガラス１１上に載せられた原稿を読み取る手置きモードと、自動原稿送り装置７によって自動で供給された原稿を読み取る自動給紙モードとがある。
【００２１】
筐体２０は、上面が開放された略直方体状の箱体２０ａ（図３参照）と、その箱体２０ａの上面開口に装着されたコンタクトガラス１１とを備えている。コンタクトガラス１１としては、手置きモードの原稿読取動作で読み取る原稿が載せられる第１コンタクトガラス１１ａと、自動給紙モードの原稿読取動作で読み取る原稿が上側を通過する第２コンタクトガラス１１ｂとが設けられている。第１コンタクトガラス１１ａは、矩形板状に形成され、筐体２０の上面において広範囲を占める。第２コンタクトガラス１１ｂは、前後方向に細長い矩形板状に形成され、筐体２０の上面において第１コンタクトガラス１１ａの左側に配置されている。
【００２２】
原稿カバー６は、筐体２０の上側に載置されている。原稿カバー６は、筐体２０の後側端部に設けられたヒンジ（図示省略）を支点にして、筐体２０に開閉自在に取り付けられている。原稿カバー６は、閉状態の時に筐体２０の上面における略全領域を被覆する。
【００２３】
自動原稿送り装置７は、原稿カバー６に収容されている。自動原稿送り装置７は、原稿給紙トレイ７ａにセットされた原稿を所定の搬送経路に沿って搬送し、第２コンタクトガラス１１ｂ上の読取位置を通過させる。読取位置を通過した原稿は、原稿排紙トレイ７ｂに排出される。
【００２４】
読取ユニット３０は、図２に示すように、第１移動キャリッジ３１と第２移動キャリッジ３２と集光レンズユニット３３と撮像素子３４とを備えている。第１移動キャリッジ３１には、照明装置４０と第１反射ミラー４１とが搭載されている。第２移動キャリッジ３２には、第２反射ミラー４２及び第３反射ミラー４３が搭載されている。
【００２５】
読取ユニット３０では、原稿読取動作及び原稿サイズ検知動作の各動作を行う際に、照明装置４０がコンタクトガラス１１上の原稿に光を照射する。照明装置４０から照射されてコンタクトガラス１１で反射した反射光は、第１反射ミラー４１、第２反射ミラー４２、第３反射ミラー４３の順番で反射する。第２反射ミラー４２及び第３反射ミラー４３は、光路を反転させる。そして、第３反射ミラー４３の反射光は、集光レンズユニット３３を通過し、撮像素子３４の撮像面に結像される。撮像素子３４は、ＣＣＤ（charge coupled device）等からなり、撮像面で受光した光をアナログ電気信号に光電変換する。このアナログ電気信号は、Ａ／Ｄ変換回路（図示省略）によってデジタル電気信号に変換された後、コントローラー１５に画像データとして入力される。
【００２６】
第１及び第２移動キャリッジ３１，３２は、ステッピングモーター等の駆動モーターを用いた駆動機構（図示省略）により駆動される。第１移動キャリッジ３１は、第１コンタクトガラス１１ａ及び第２コンタクトガラス１１ｂの下面に沿って、左右方向に往復移動する。第２移動キャリッジ３２は、第１移動キャリッジ３１に追従して、第１移動キャリッジ３１の１／２の移動量で左右方向に往復移動する。具体的に、手置きモードの原稿読取動作の時に、第１移動キャリッジ３１は、第１コンタクトガラス１１ａの左端直下（ホームポジション）から右方向へ移動する。この移動の際に、照明装置４０から原稿に向けて光が照射される。一方、自動給紙モードの原稿読取動作の時に、第１移動キャリッジ３１は、第２コンタクトガラス１１ｂの直下に移動して静止状態となる。この静止状態において、照明装置４０から原稿に向けて光が照射される。
【００２７】
−照明装置について−
照明装置４０は、コンタクトガラス１１上の原稿を焦点位置として照明光を照射する。照明装置４０は、図４に示すように、前後方向に長いライン状の照明光を照射する第１照明部５１及び第２照明部５２と、第１照明部５１及び第２照明部５２を支持する樹脂製の支持部材５３とを備えている。照明装置４０は、第１移動キャリッジ３１の位置に応じて、第１コンタクトガラス１１ａまたは第２コンタクトガラス１１ｂに対向する位置で光を照射する。なお、第１照明部５１と第２照明部５２は同じ構成である。
【００２８】
第１照明部５１は、図５に示すように、第１光源６１と、真っすぐな棒状の第１導光部材７１とを備えている。第２照明部５２は、第２光源６２と、真っすぐな棒状の第２導光部材７２とを備えている。各照明部５１，５２では、１つの導光部材７１，７２に対し光源６１，６２（発光部）が１つずつ設けられている。照明装置４０では、２つの光源６１，６２が設けられている。
【００２９】
各光源６１，６２は、薄い円板状の形状を有して白色光を発する白色ＬＥＤ（Light Emitting Diode）である。白色ＬＥＤとしては、例えば、青色光又は紫外光を発するＧａＮ系またはＩｎＧａＮ系半導体発光素子が蛍光体入り透明樹脂で封入された高輝度ＬＥＤパッケージを用いることができる。各光源６１，６２は、各導光部材７１，７２の一端面に対向して配置される。各光源６１，６２はそれぞれＬＥＤ基板６３，６４に取付けられている（図４参照）。
【００３０】
各導光部材７１，７２は、アクリル樹脂などの透光性の樹脂材料によって成形されている。図５及び図６に示すように、各導光部材７１,７２はそれぞれ、導光本体部７１ａ，７２ａと、平板部７１ｂ，７２ｂと、爪部７１ｃ，７２ｃとを有している。導光本体部７１ａ，７２ａは、前後方向に延びる断面が略半円形状の柱状部である。導光本体部７１ａ，７２ａは、前後方向に延びる平板部７１ｂ，７２ｂの幅方向の中央部に突設されている。図６では、一方の第１導光部材７１の断面形状のみを示すが、第２導光部材７２も第１導光部材７１と同じ断面形状を有している。各導光部材７１，７２は、同図に示すように、帽子型の断面形状を有している。各爪部７１ｃ，７２ｃは、各導光部材７１，７２の光入射部Ｓｉ側の端部にて平板部７１ｂ，７２ｂの左右方向の外側端部に突設されている。
【００３１】
各導光部材７１，７２では、対応する光源６１，６２に対向する端面からの入射光が伝搬して、ライン状の照明光に変換されて出射される。具体的に、各導光部材７１，７２では、光源６１，６２に対面する一端面が光入射部Ｓｉとされ、上面（コンタクトガラス１１側の面）には、光を出射する光出射部Ｓｏが形成され、光出射部Ｓｏに対向する面（光出射部Ｓｏの反対側面）には光反射部Ｓｒが形成されている。光出射部Ｓｏ及び光反射部Ｓｒはそれぞれ、導光本体部７１ａ，７２ａの前後方向の全体に亘って形成されている。
【００３２】
図７に示すように、第１導光部材７１と第２導光部材７２は、左右方向に間隔を隔てて互いに平行に支持部材５３に取り付けられている。支持部材５３は、各導光部材７１，７２が前後方向に沿って延びように第１移動キャリッジ３１に取り付けられている。第１導光部材７１は、筐体２０の前側から見て第２導光部材７２の右側に配置されている。
【００３３】
また、本実施形態では、第１導光部材７１は第１光源６１が前側に位置するように支持部材５３に取り付けられ、第２導光部材７２は第２光源６２が後側に位置するように支持部材５３に取り付けられている。第１光源６１は、筐体２０の前側領域に位置し、第１導光部材７１への入射光を後側に向けて出射する。第２光源６２は、筐体２０の後側領域に位置し、第２導光部材７２への入射光を前側に向けて光を出射する。
【００３４】
第１導光部材７１と第２導光部材７２は、支持部材５３によって同じ高さに支持されている。支持部材５３では、第１導光部材７１と第２導光部材７２との内側に、第１コンタクトガラス１１ａから第１反射ミラー４１へ向かう光の通路が形成されている。第１導光部材７１及び第２導光部材７２は、所定の角度だけ傾けて光出射部Ｓｏがやや内側を向く姿勢で設けられている。第１導光部材７１は、筐体２０の前側から見て光出射部Ｓｏが左斜め上を向いている。第２導光部材７２は、筐体２０の前側から見て光出射部Ｓｏが右斜め上を向いている。
【００３５】
−支持部材の詳細−
図７及び図８を参照して支持部材５３の詳細について説明する。支持部材５３は、第１移動キャリッジ３１の底板部に板金部材８０を介して取り付けられている。支持部材５３は、一側分割部５３１と他側分割部５３２とに分割されている（図１５参照）。支持部材５３の分割構造については後述する。
【００３６】
上記板金部材８０は、支持部材５３が載置される底側板金８０ａを備えている。支持部材５３の四方は、板金部材８０の一部を切り起こしてなる前側板金８０ｂと後側板金８０ｃと左側板金８０ｄと右側板金８０ｅに囲まれている。支持部材５３の下面は、前後方向の両端部と中間部とにおいて底側板金８０ａに当接して支持されている（図８参照）。尚、支持部材５３の下面全体を底側板金８０ａに当接させるようにしてもよい。
【００３７】
支持部材５３は、第１反射側支持部５３ａ、第２反射側支持部５３ｂ、前端部支持板５３ｄ及び後端部支持板５３ｅを有している。第１及び第２反射側支持部５３ａ，５３ｂ（平板部支持部）は、左右方向に間隔を空けて互いに平行に前後方向に延びるように配置されている。第１及び第２反射側支持部５３ａ，５３ｂはそれぞれ、第１及び第２導光部材７１，７２をその光反射部Ｓｒ側から支持する。両反射側支持部５３ａ，５３ｂは前後方向に延びる平板部５３ｆを介して連結されている。平板部５３ｆには前後方向に延びる矩形状の貫通孔５３ｇが形成されている。貫通孔５３ｇ内には後述する一対の内側押圧部材８１が上下方向に貫通して配置されている。
【００３８】
第１反射側支持部５３ａの支持面５３ｓと、第２反射側支持部５３ｂの支持面５３ｔとは、前後方向から見て内側端縁が外側端縁に比べて低くなるように傾斜している。各支持面５３ｓ，５３ｔは、各導光部材７１，７２内に向けて光を反射可能な白色の反射面とされている。尚、反射面は白色に限ったものではなく、光の反射率の高い色であればよく、また光が反射し易い材質で構成したり表面処理を施したりしてもよい。
【００３９】
そして、各支持面５３ｓ，５３ｔ、は各導光部材７１，７２の平板部７１ｂ，７２ｂの下面にその前後方向の全域において当接している。各支持面５３ｓ，５３ｔの幅方向の中央部には、前後方向に延びる皿状の溝部５３ｍが形成されている。溝部５３ｍには、各導光部材７１，７２の下面の光反射部Ｓｒが収まる。尚、溝部５３ｍの表面は、光を導光部材７１，７２内に向けて反射可能な反射面とされている。
【００４０】
図９及び図１０に示すように、第１及び第２反射側支持部５３ａ，５３ｂの前後方向の一端部には、各導光部材７１，７２の爪部７１ｃ，７２ｃに係合する係合溝５３ｉが形成されている。係合溝５３ｉは、前後方向に延びる外側土手部５３ｋの一部を欠損させて形成されている。各導光部材７１，７２の爪部７１ｃ，７２ｃがそれぞれ係合溝５３ｉに係合することで、各導光部材７１，７２が前後方向に移動不能に拘束される。各導光部材７１，７２の爪部７１ｃ，７２ｃは、各導光部材７１，７２に対応する光源６１，６２が位置する側の端部に形成されている。したがって、各導光部材７１，７２が前後方向に熱膨脹した際に、各導光部材７１，７２と対応する光源６１，６２との距離が変化し難い。したがって、各光源６１，６２から各導光部材７１，７２に入射される光の光量がばらつくのを抑制することができる。
【００４１】
前端部支持板５３ｄと後端部支持板５３ｅとは、第１及び第２反射側支持部５３ａ，５３ｂを挟んで前後方向に対向して配置されている。各端部支持板５３ｄ，５３ｅにはそれぞれ、各導光部材７１，７２の端部に嵌合する一対の嵌合孔５３ｊ（図１０参照）が形成されている。各導光部材７１，７２の前端部は、前端部支持板５３ｄの一対の嵌合孔５３ｊに嵌合して支持されている。各導光部材７１，７２の後端部は，後端部支持板５３ｅの一対の嵌合孔５３ｊに嵌合して支持されている。各嵌合孔５３ｊは、各導光部材７１，７２の断面形状に対応する帽子型状に形成されている。各導光部材７１，７２の端部は嵌合孔５３ｊに嵌合することで回転不能に拘束される。
【００４２】
前端部支持板５３ｄ及び後端部支持板５３ｅにはそれぞれ、円柱状のボス部５３ｈが突設されている。図１１及び図１２では、前端部支持板５３ｄに突設されたボス部５３ｈを示している。ボス部５３ｈは、各端部支持板５３ｄ，５３ｅにおける一対の嵌合孔５３ｊの間に形成されている。各ボス部５３ｈには、基端側から先端側に向かって所定深さの螺子孔５３ｒ（図１３にのみ示す）が形成されている。各端部支持板５３ｄ，５３ｅは、前側及び後側板金８０ｂ，８０ｃに対してＬＥＤ基板６３，６４と共にボルト６５で共締め固定されている。各端部支持板５３ｄ，５３ｅの外側面には、前側及び後側板金８０ｂ，８０ｃに対する位置決め用のピン部５３ｐ，５３ｑが突設されている。前側のＬＥＤ基板６３には第１光源６１（図１０参照）が取付けられ、後側のＬＥＤ基板６４には第２光源６２が取付けられている。上記ボルト６５は、前側及び後側板金８０ｂ，８０ｃと、各板金８０ｂ，８０ｃに重ねて配置されたＬＥＤ基板６３，６４とを貫通してボス部５３ｈの螺子孔５３ｒに螺合している（図１２参照）。
【００４３】
−押圧部材の構成−
図８に戻って、照明装置４０は、第１及び第２導光部材７１，７２の内側端部を各支持面５３ｓ，５３ｔに押し付ける一対の内側押圧部材８１と、外側端部を各支持面５３ｓ，５３ｔに押し付ける一対の外側押圧部材８２とをさらに備えている。
【００４４】
内側押圧部材８１は、平板部５３ｆに形成された貫通孔５３ｇ内の左右両端部に配置されている。内側押圧部材８１の下端部は板金部材８０の底側板金８０ａに係合固定されている。内側押圧部材８１は、底側板金８０ａから鉛直上方に延びて、左右方向の外側に向かって斜め上方に屈曲した後、鉛直上方に屈曲している。
【００４５】
外側押圧部材８２は、図１３に拡大して示すように、Ｖ字状部８２ａ、水平板部８２ｂ、鉛直板部８２ｃ、及び係合爪８２ｄを有している。Ｖ字状部８２ａは、各導光部材７１，７２の平板部７１ｂ，７２ｂの外側端部と導光本体部７１ａ、７２ａとの接続部に嵌り込むように形成されている。Ｖ字状部８２ａの基端部は、水平板部８２ｂによって片持ち梁状に支持されており、水平板部８２ｂが僅かに撓んでＶ字状部８２ａを下側に付勢している。水平板部８２ｂの基端部は、鉛直板部８２ｃ及び係合爪８２ｄを介して左側板金８０ｄに係合固定されている。左側板金８０ｄは板金部材８０の一部を切り起こして形成されている。係合爪８２ｄは、鉛直板部８２ｃの内側面に突設されて左側板金８０ｄの係合孔８０ｆに係合している。
【００４６】
−支持部材の分割構造の詳細−
次に、図１４乃至図１７を参照して、支持部材５３の分割構造について説明する。支持部材５３は、前後方向の後端寄りの位置で一側分割部５３１と他側分割部５３２とに分割されている。一側分割部５３１は支持部材５３の後端部を構成している。一側分割部５３１の支持面５３ｓと他側分割部５３２の支持面５３ｔとの間には隙間Ａが設けられている。隙間Ａは、導光部材７１，７２側から見てその長手方向に交差する方向（本実施形態では直交方向）に延びている。この隙間Ａの寸法は、画像読取動作時の発熱により生じる各分割部５３１，５３２の前後方向の熱膨脹変形量よりも十分に大きい。つまり、隙間Ａは、予め予測される各分割部５３１，５３２の前後方向の熱膨脹変形を吸収可能な大きさに設定されている。
【００４７】
一側分割部５３１の右側端部には、矩形状のブラケット板部５３１ｃが突出形成されている。ブラケット板部５３１ｃには第１突出ピン部５３１ａが突設されている。第１突出ピン部５３１ａは円筒状をなしていて、ブラケット板部５１３ｃの前側面から前側に突出している。また、一側分割部５３１のボス部５３ｈの先端面（前側端面）には第２突出ピン部５３１ｂが突設されている。第２突出ピン部５３１ｂは円筒状をなしていて、ボス部５３ｈの先端面から前側に突出している。
【００４８】
他側分割部５３２の後端部の右側端部には、第１ブラケット板部５３２ｃが立設されている。第１ブラケット板部５３２ｃには、左右方向に長い第１係合孔５３２ａが形成されている。第１係合孔５３２ａには、一側分割部５３１の第１突出ピン部５３１ａが係合している。第１係合孔５３２ａは、第１突出ピン部５３１ａの左右方向及び前後方向の変位のみを許容する。
【００４９】
他側分割部５３２の後端部の左右方向の中央部には第２ブラケット板部５３２ｄが立設されている。第２ブラケット板部５３２ｄには、一側分割部５３１の第２突出ピン部５３１ｂに摺動可能に嵌合する第２係合孔５３２ｂが形成されている。第２係合孔５３２ｂは、第２突出ピン部５３１ｂの前後方向の変位のみを許容する。
【００５０】
一側分割部５３１及び他側分割部５３２とは、各突出ピン部５３１ａ，５３１ｂと各係合孔５３２ａ，５３２ｂとが係合することにより、前後方向に伸縮自在に連結されている。
【００５１】
図１５及び図１７に示すように、５３２の後端面には、第１オーバーラップ部５３２ｅ及び第２オーバーラップ部５３２ｆ（図１７では第２オーバーラップ部５３２ｆのみを示す）が突設されている。各オーバーラップ部５３２ｅ，５３２ｆは、一側分割部５３１の各反射側支持部５３ａ，５３ｂの下側（反支持面側）に潜り込むように形成されている。各オーバーラップ部５３２ｅ，５３２ｆの上面は、各反射側支持部５３ａ，５３ｂの支持面５３ｓ，５３ｔと平行に傾斜している。各オーバーラップ部５３２ｅ，５３２ｆの上面５３２ｖ，５３２ｗの一部は、上述の隙間Ａから導光部材７１，７２側に露出している（つまり導光部材７１，７２側から視認可能になっている）。各オーバーラップ部５３２ｅ，５３２ｆの上面５３２ｖ，５３２ｗは、該各支持面５３ｓ，５３ｔと同様に、光を各導光部材７１，７２内に反射可能な反射面とされている
【００５２】
−作用効果−
以上のように構成された画像読取装置３では、各導光部材７１，７２は、その長手方向に延びる平板部７１ｂ，７２ｂと、該平板部７１ｂ，７２ｂの厚さ方向の一側面に突設されて該長手方向に延び、表面に光出射部Ｓｏが形成された導光本体部７１ａ，７２ａとを有していて、長手方向に垂直な断面形状が帽子型状をなすように成形されている。
【００５３】
このように各導光部材７１，７２を断面帽子型状に形成することで、図１８について説明したように、成形品である各導光部材７１，７２の表面にバリが発生するのを抑制することができる。
【００５４】
導光部材の長手方向に垂直な断面形状を帽子型にした場合、図１９について説明したように、導光部材７１，７２の両端部が中間部に対して反り上がり易くなる。
【００５５】
これに対して本実施形態では、支持部材５３（一側及び他側分割部５３１，５３２）における各導光部材７１，７２の支持面５３ｓ，５３ｔが、導光部材７１，７２の平板部７１ｂ、７２ｂの下面（導光本体部側とは反対側面）に長手方向の全域で当接している。
【００５６】
したがって、各導光部材７１，７２の長手方向の中間部の下側への変位が支持面５３ｓ，５３ｔによって規制される結果、各導光部材７１，７２の両端部が反り上がるような変形を抑制することができる。
【００５７】
さらに本実施形態では、支持部材５３は、キャリッジ３１の底壁部に固定された板金部材８０（底側板金８０ａ）の上面に載置されている。そして、板金部材８０の左側板金８０ｃに係合固定された外側押圧部材８２と、板金部材８０の底側板金８０ａに係合固定された内側押圧部材８１とによって、各導光部材７１，７２が各支持面５３ｓ，５３ｔに押しつ付けて固定されている。  
【００５８】
これによれば、各導光部材７１，７２の光出射部Ｓｏ側への変位が各押圧部材８１，８２によって規制される。したがって、各導光部材７１，７２の両端部が反り上がるような変形をより一層抑制することができる。
【００５９】
しかも各押圧部材８１，８２は、各導光部材７１，７２の長手方向の全体に亘って設けられている。したがって、各導光部材７１，７２の両端部の反り上がりがさらに抑制される。
【００６０】
また、支持部材５３は、固定された板金部材８０の底側板金８０ａの上面に当接して載置されている。これによれば、支持部材５３が強固な金属製の板金部材８０に載置されていることで、支持部材５３の各支持面５３ｓ，５３ｔによる各導光部材７１，７２の支持剛性を向上させることができる。したがって、各押圧部材８１，８２による押付け力を各支持面５３ｓ，５３ｔでしっかりと受け止めて各導光部材７１，７２を反りのない真直ぐな形状に矯正することができる。
【００６１】
また、本実施形態では、支持部材５３は、前後方向（第１及び第２導光部材７１，７２の長手方向）において一側分割部５３１と他側分割部５３２とに分割されている。そして、一側分割部５３１の支持面５３ｓ，５３ｔと、他側分割部５３２の支持面５３ｓ，５３ｔとの間には隙間Ａが設けられている。
【００６２】
この構成によれば、この構成によれば、各光源６１，６２の発熱等に起因して各分割部５３１，５３２が前後方向に熱膨張変形した場合でも、両分割部５３１，５３２間の隙間Ａが縮まることでこの熱膨脹変形を吸収することができる。したがって、支持部材５３と各導光部材７１，７２との線膨張差に起因する各導光部材７１，７２の反り返りを防止することができる。よって、各導光部材７１，７２の光出射部Ｓｏから出射される光の光量が前後方向の位置によってばらつくことを低減することができる。
【００６３】
また、支持部材５３は、固定された板金部材８３に取付け固定されている。このため、支持部材５３の前後方向の熱膨張変形が板金部材８３によって制限されるので、支持部材５３が上側に反り返り易い。この結果、支持部材５３に支持された各導光部材７１，７２にも反り返りが生じる虞がある。
これに対して本実施形態では、支持部材５３の前後方向の熱膨張変形を隙間Ａによって吸収することで支持部材５３の反り返りを防止し、延いては各導光部材７１，７２の反り返りを防止することができる。
【００６４】
また、本実施形態では、上記一側及び他側分割部５３１，５３２の支持面５３ｓ，５３ｔは、各導光部材７１，７２内に向けて光を反射可能な反射面とされ、一側分割部５３１と他側分割部５３２との互いに隣接する部分は、他側分割部５３２に設けられたオーバーラップ部５３２ｅ，５３２ｆを介して重なっており、オーバーラップ部５３２ｅ，５３２ｆの上面５３２ｖ，５３２ｗ（上記隙間Ａを通じて導光部材７１，７２側に露出する面）は、光を反射可能な反射面とされている。
【００６５】
この構成によれば、各導光部材７１，７２における上記隙間Ａに対応する箇所から出射される光の光量が低下するのを防止することができる。
【００６６】
また、本実施形態によれば、一側分割部５３１には第２突出ピン部５３１ｂが突設されて、他側分割部５３２には第２係合孔５３２ｂが形成され、第２突出ピン部５３１ｂは、第２係合孔５３２ｂに対して前後方向（各導光部材７１，７２の長手方向）にのみ移動可能に拘束されている。これにより、一側分割部５３１と他側分割部５３２とを、簡単な構成で前後方向に変位可能に連結することができる。
【００６７】
−その他の実施形態−
上記実施形態では、支持部材５３の支持面５３ｓ，５３ｔが各導光部材７１，７２の下面に当接する例について説明したが、これに限ったものではなく、各支持面５３ｓ，５３ｔと各導光部材７１，７２との間に隙間があってもよい。
【００６８】
上記実施形態では、オーバーラップ部５３２ｅ，５３２ｆを他側分割部５３２に形成するようにしているが、これに限ったものではなく、一側分割部５３１に形成するようにしてもよい。
【００６９】
上記内側及び外側押圧部材８１，８２は板金部材８３に固定されているが、これに限ったものではなく、支持部材５３に固定するようにしてもよい。
【００７０】
上記実施形態では、導光本体部７１ａ，７２ａが半円柱状である例について説明したが、これに限ったものではなく、例えば多角柱状であってもよい。
【産業上の利用可能性】
【００７１】
以上説明したように、本発明は  照明装置及び該照明装置を備えた画像読取装置ついて有用であり、特に、複写機、プリンター、複合機（ＭＦＰ）、又はファクシミリ等に適用する場合に有用である。
【符号の説明】
【００７２】
Ａ        ：隙間
Ｓｉ      ：光入射部
Ｓｏ      ：光出射部
３        ：画像読取装置
４０      ：照明装置
５３      ：支持部材
５３ａ    ：第１反射側支持部（平板部支持部）
５３ｂ    ：第２反射側支持部（平板部支持部）
５３ｓ    ：支持面（反射面）
５３ｔ    ：支持面（反射面）
６１      ：第１光源（発光部）
６２      ：第２光源（発光部）
７１      ：第１導光部材
７１ａ    ：導光本体部
７１ｂ    ：平板部
７２      ：第２導光部材
７２ａ    ：導光本体部
７２ｂ    ：平板部
８０      ：板金部材
８１      ：内側押圧部材
８２      ：押圧部材
８３      ：板金部材
５３１    ：一側分割部
５３１ｂ  ：第２突出ピン部
５３２    ：他側分割部
５３２ｂ  ：第２係合孔
５３２ｅ  ：第１オーバーラップ部（オーバーラップ部）
５３２ｆ  ：第２オーバーラップ部（オーバーラップ部）
５３２ｖ  ：上面（導光部材側に露出する面）
５３２ｗ  ：上面（導光部材側に露出する面）
【図１】
0006988295.tif 000002
【図２】
0006988295.tif 000003
【図３】
0006988295.tif 000004
【図４】
0006988295.tif 000005
【図５】
0006988295.tif 000006
【図６】
0006988295.tif 000007
【図７】
0006988295.tif 000008
【図８】
0006988295.tif 000009
【図９】
0006988295.tif 000010
【図１０】
0006988295.tif 000011
【図１１】
0006988295.tif 000012
【図１２】
0006988295.tif 000013
【図１３】
0006988295.tif 000014
【図１４】
0006988295.tif 000015
【図１５】
0006988295.tif 000016
【図１６】
0006988295.tif 000017
【図１７】
0006988295.tif 000018
【図１８】
0006988295.tif 000019
【図１９】
0006988295.tif 000020